(57)【要約】【課題】    本発明の目的は、不良品の少ないキウイフルーツ模造品のカットモデルを得ることができるキウイフルーツ模造品のカットモデルを提供するものである。【解決手段】    キウイフルーツ模造品のカットモデル１０は、キウイフルーツの果実を、果芯に直交する方向にスライスしたものを模したキウイフルーツ模造品のカットモデル１０であって、白色の擬似果心１１ａの周囲に緑色を呈した第１の擬似果肉体１１と、この第１の擬似果肉体１１の周囲に接続され、第１の擬似果肉体１１の緑色より薄い緑色を呈した第２の擬似果肉体１２とを備え、白色の擬似果心１１ａの外側の第１の擬似果肉体１１に黒い擬似種子１１ｃが設けられているものである。【選択図】図１
2015082030.tif 000002
【特許請求の範囲】
【請求項１】
キウイフルーツの果実を、果芯に直交する方向にスライスしたものを模したキウイフルーツ模造品のカットモデルであって、
白色の擬似果心の周囲に緑色を呈した第１の擬似果肉体と、
この第１の擬似果肉体の周囲に接続され、前記第１の擬似果肉体の緑色より薄い緑色を呈した第２の擬似果肉体とを備え、
前記白色の擬似果心の外側の第１の擬似果肉体に黒い擬似種子が設けられている
ことを特徴とするキウイフルーツ模造品のカットモデル。
【請求項２】
キウイフルーツの果実を、果芯に直交する方向にスライスしたものを模したキウイフルーツ模造品のカットモデルの製造方法であって、
白色の擬似果心の周囲に緑色を呈し、前記白色の擬似果心の外側の第１の擬似果肉体に黒い擬似種子が設けられた第１の擬似果肉体を製造する第１の擬似果肉体工程と、
この第１の擬似果肉体工程の後、前記第１の擬似果肉体の周囲に接続され、前記第１の擬似果肉体の緑色より薄い緑色を呈した第２の擬似果肉体を製造する第２の擬似果肉体工程とを備えている
ことを特徴とするキウイフルーツ模造品のカットモデルの製造方法。
【請求項３】
第１の擬似果肉体は、前記第１の擬似果肉体の外周から前記第１の擬似果肉体の中心
軸に向かうと共に、白色の擬似果心の手前で止まる略放射状に形成されている
ことを特徴とする請求項１記載のキウイフルーツ模造品のカットモデル。
【請求項４】
第１の擬似果肉体は、前記第１の擬似果肉体の外周から前記第１の擬似果肉体の中心
軸に向かうと共に、白色の擬似果心の手前で止まる略放射状に形成されている
ことを特徴とする請求項２記載のキウイフルーツ模造品のカットモデルの製造方法。
【請求項５】
柑橘類の果実を、果芯に直交する方向にスライスしたものを模した柑橘類模造品のカットモデルの製造方法であって、
白色の擬似果心とこの擬似果心から放射状に延びる白色の擬似じょうのう膜を有した擬似果心体を形成する擬似果心工程と、
この擬似果心工程の後、前記擬似果心体の擬似じょうのう膜の間及び前記擬似じょうのう膜の外方に擬似果肉体を形成する擬似果肉体工程と、
この擬似果肉体工程の後、前記擬似果肉体の表面上であって、前記擬似果心工程で形成された白色の前記擬似じょうのう膜の端部に接し外方まで延びる白色の擬似じょうのう膜を形成する前記擬似じょうのう膜延長工程と、
前記擬似果肉体工程の後、前記擬似果肉体の外周に擬似果皮を形成する擬似果皮工程とを備えている
ことを特徴とする柑橘類模造品のカットモデルの製造方法。
【発明の詳細な説明】
【技術分野】
【０００１】
本発明は、キウイフルーツ模造品のカットモデル、キウイフルーツ模造品のカットモデルの製造方法及び柑橘類模造品のカットモデルの製造方法に係り、特に、不良品が少なく、しかも、よりリアルなキウイフルーツ模造品のカットモデル、キウイフルーツ模造品のカットモデルの製造方法及び柑橘類模造品のカットモデルの製造方法に関する。
【背景技術】
【０００２】
従来、柑橘類の果実を、果芯に直交する方向にスライスしたものを模した柑橘類模造品のカットモデル（例えば、特開２０１２−１２８２１３）がある。
【先行技術文献】
【特許文献】
【０００３】
【特許文献１】特許第３６９６３２９号公報
【発明の概要】
【発明が解決しようとする課題】
【０００４】
この柑橘類模造品のカットモデルにあっては、柑橘類模造品のカットモデル全部が出来上がってから、気泡、汚れ等を検査し、部分的に不良が発見されれば、廃棄せねばならず、柑橘類模造品のカットモデルが無駄になるという問題点が生じていた。
【０００５】
本発明は、前記問題点を考慮してなされたもので、不良品の少ないキウイフルーツ模造品のカットモデル、キウイフルーツ模造品のカットモデルの製造方法及び柑橘類模造品のカットモデルの製造方法を提供することを目的とする。
【課題を解決するための手段】
【０００６】
請求項１記載のキウイフルーツ模造品のカットモデルは、キウイフルーツの果実を、果芯に直交する方向にスライスしたものを模したキウイフルーツ模造品のカットモデルであって、白色の擬似果心の周囲に緑色を呈した第１の擬似果肉体と、この第１の擬似果肉体の周囲に接続され、前記第１の擬似果肉体の緑色より薄い緑色を呈した第２の擬似果肉体とを備え、前記白色の擬似果心の外側の第１の擬似果肉体に黒い擬似種子が設けられているものである。
【０００７】
また、請求項２記載のキウイフルーツ模造品のカットモデルの製造方法は、キウイフルーツの果実を、果芯に直交する方向にスライスしたものを模したキウイフルーツ模造品のカットモデルの製造方法であって、白色の擬似果心の周囲に緑色を呈し、前記白色の擬似果心の外側の第１の擬似果肉体に黒い擬似種子が設けられた第１の擬似果肉体を製造する第１の擬似果肉体工程と、この第１の擬似果肉体工程の後、前記第１の擬似果肉体の周囲に接続され、前記第１の擬似果肉体の緑色より薄い緑色を呈した第２の擬似果肉体を製造する第２の擬似果肉体工程とを備えているものである。
【０００８】
また、請求項３記載のキウイフルーツ模造品のカットモデルは、請求項１記載のキウイフルーツ模造品のカットモデルにおいて、第１の擬似果肉体は、前記第１の擬似果肉体の外周から前記第１の擬似果肉体の中心軸に向かうと共に、白色の擬似果心の手前で止まる略放射状に形成されているものである。
【０００９】
また、請求項４記載のキウイフルーツ模造品のカットモデルの製造方法は、請求項２記載のキウイフルーツ模造品のカットモデルの製造方法において、第１の擬似果肉体は、前記第１の擬似果肉体の外周から前記第１の擬似果肉体の中心軸に向かうと共に、白色の擬似果心の手前で止まる略放射状に形成されているものである。
【００１０】
また、請求項５記載の柑橘類模造品のカットモデルの製造方法は、柑橘類の果実を、果芯に直交する方向にスライスしたものを模した柑橘類模造品のカットモデルの製造方法であって、白色の擬似果心とこの擬似果心から放射状に延びる白色の擬似じょうのう膜を有した擬似果心体を形成する擬似果心工程と、この擬似果心工程の後、前記擬似果心体の擬似じょうのう膜の間及び前記擬似じょうのう膜の外方に擬似果肉体を形成する擬似果肉体工程と、この擬似果肉体工程の後、前記擬似果肉体の表面上であって、前記擬似果心工程で形成された白色の前記擬似じょうのう膜の端部に接し外方まで延びる白色の擬似じょうのう膜を形成する前記擬似じょうのう膜延長工程と、前記擬似果肉体工程の後、前記擬似果肉体の外周に擬似果皮を形成する擬似果皮工程とを備えているものである。
【発明の効果】
【００１１】
請求項１記載のキウイフルーツ模造品のカットモデルによれば、キウイフルーツ模造品のカットモデルは、白色の擬似果心の周囲に緑色を呈した第１の擬似果肉体と、この第１の擬似果肉体の周囲に接続され、前記第１の擬似果肉体の緑色より薄い緑色を呈した第２の擬似果肉体とに構成され、第２の擬似果肉体を作る際、第１の擬似果肉体が良品であるか不良品であるかの検査をし、良品である第１の擬似果肉体を選定した上で、第２の擬似果肉体を作るため、不良品が少なく、しかも、よりリアルなキウイフルーツ模造品のカットモデルを得ることができる。
【００１２】
また、請求項２記載のキウイフルーツ模造品のカットモデルの製造方法によれば、キウイフルーツ模造品のカットモデルは、白色の擬似果心の周囲に緑色を呈した第１の擬似果肉体と、この第１の擬似果肉体の周囲に接続され、前記第１の擬似果肉体の緑色より薄い緑色を呈した第２の擬似果肉体とに構成され、第２の擬似果肉体を作る際、第１の擬似果肉体が良品であるか不良品であるかの検査をし、良品である第１の擬似果肉体を選定した上で、第２の擬似果肉体を作るため、不良品が少なく、しかも、よりリアルなキウイフルーツ模造品のカットモデルを製造することができる。
【００１３】
また、請求項３記載のキウイフルーツ模造品のカットモデルによれば、上述した請求項１記載の発明の効果に加え、前記第１の擬似果肉体の外周から前記第１の擬似果肉体の中心軸に向かうと共に、白色の擬似果心の手前で止まる略放射状に形成されている第１の擬似果肉体とは、別個に、前記第１の擬似果肉体の緑色より薄い緑色を呈した第２の擬似果肉体を形成しているため、本物のキウイにより近いキウイフルーツ模造品のカットモデルを得ることができる。
【００１４】
また、請求項４記載のキウイフルーツ模造品のカットモデルの製造方法によれば、上述した請求項２記載の発明の効果に加え、前記第１の擬似果肉体の外周から前記第１の擬似果肉体の中心軸に向かうと共に、白色の擬似果心の手前で止まる略放射状に形成されている第１の擬似果肉体とは、別個に、前記第１の擬似果肉体の緑色より薄い緑色を呈した第２の擬似果肉体を形成しているため、本物のキウイにより近いキウイフルーツ模造品のカットモデルを製造することができる。
【００１５】
また、請求項５記載の柑橘類模造品のカットモデルの製造方法によれば、柑橘類模造品のカットモデルは、白色の擬似果心とこの擬似果心から放射状に延びる白色の擬似じょうのう膜を有した擬似果心体と、この擬似果心体の擬似じょうのう膜の間及び前記擬似じょうのう膜の外方に形成された擬似果肉体とを有し、擬似果肉体を作る際、擬似果心体が良品であるか不良品であるかの検査をし、良品である擬似果心体を選定した上で、擬似果肉体を作るため、不良品が少なく、しかも、よりリアルな柑橘類模造品のカットモデルを製造することができる。
【図面の簡単な説明】
【００１６】
【図１】図１は、本発明の一実施例のキウイフルーツ模造品のカットモデルの概略的斜視図である。
【図２】図２は、図１のキウイフルーツ模造品のカットモデルを構成する白色の擬似果心を製造する一工程を示すもので、第１の凹状部材に原料を流し込む状態を示す概略的断面図である。
【図３】図３は、図２の第１の凹状部材に原料を流し込んだ状態を示す概略的断面図である。
【図４】図４は、第１の凹状部材から白色の擬似果心を取り出す状態を示す概略的断面図である。
【図５】図５は、白色の擬似果心の周囲に緑色を呈し、前記白色の擬似果心の外側の第１の擬似果肉体に黒い擬似種子が設けられた第１の擬似果肉体を製造する第１の擬似果肉体工程を製造する一工程を示すもので、第２の凹状部材に図４の白色の擬似果心、黒い擬似種子を載置する前の状態を示す概略的斜視図である。
【図６】図６は、図５の第２の凹状部材に原料を流し込む状態を示す概略的断面図である。
【図７】図７は、図６の第２の凹状部材に原料を流し込んだ状態を示す概略的断面図である。
【図８】図８は、第２の凹状部材から第１の擬似果肉体心を取り出す状態を示す概略的断面図である。
【図９】図９は、第２の擬似果肉体を製造する一工程を示すもので、第３の凹状部材に図８の第１の擬似果肉体を載置する前の状態を示す概略的斜視図である。
【図１０】図１０は、図９の第３の凹状部材に原料を流し込む状態を示す概略的断面図である。
【図１１】図１１は、図１０の第３の凹状部材に原料を流し込んだ状態を示す概略的断面図である。
【図１２】図１２は、第３の凹状部材から第２の擬似果肉体心を取り出す状態を示す概略的断面図である。
【図１３】図１３は、図５と異なる他の実施例を示すもので、第１の擬似果肉体に黒い擬似種子を筆で設ける第１の擬似果肉体を製造する第１の擬似果肉体工程を製造する一工程を示す概略的斜視図である。
【図１４】図１４は、図１３の第２の凹状部材に原料を流し込む状態を示す概略的断面図である。
【図１５】図１５は、図１４の第２の凹状部材に原料を流し込んだ状態を示す概略的断面図である。
【図１６】図１６は、第２の凹状部材から第１の擬似果肉体心を取り出す状態を示す概略的断面図である。
【図１７】図１７は、本発明の一実施例の柑橘類模造品のカットモデルの概略的斜視図である。
【図１８】図１８は、図１７の柑橘類模造品のカットモデルを構成する擬似果心を形成する擬似果心工程を示すもので、凹状部材に原料を流し込む状態を示す概略的断面図である。
【図１９】図１９は、図１８の第１’の凹状部材に原料を流し込んだ状態を示す概略的断面図である。
【図２０】図２０は、第１’凹状部材から擬似果心を取り出す状態を示す概略的断面図である。
【図２１】図２１は、擬似果心を第２’の凹状部材に載置前後の状態を示す概略的斜視図である。
【図２２】図２２は、図２１の第２’の凹状部材に原料を流し込む状態を示す概略的断面図である。
【図２３】図２３は、図２２の第２’の凹状部材に原料を流し込んだ状態を示す概略的断面図である。
【図２４】図２４は、第２’の凹状部材から擬似果肉体を取り出す状態を示す概略的断面図である。
【図２５】図２５は、図２４の擬似果心工程で形成された白色の擬似じょうのう膜の端部に接し外方まで延びる白色の擬似じょうのう膜を形成する擬似じょうのう膜延長工程を示すもので、前記端部から外方までカットし、カット部位に接着剤を塗布している状態を示す概略的斜視図である。
【図２６】図２６は、図２５のカットした部位にフィルムを挿入する前の状態を示す概略的斜視図である。
【図２７】図２７は、図２６のフィルムを挿入した状態を示す概略的斜視図である。
【図２８】図２８は、第２’の凹状部材から取り出した擬似果肉体心を第３’の凹状部材に載置した状態を示す概略的斜視図である。
【図２９】図２９は、図２８の第３’の凹状部材に原料を流し込む状態を示す概略的断面図である。
【図３０】図３０は、第３’の凹状部材から柑橘類模造品のカットモデルを取り出した状態を示す概略的斜視図である。
【図３１】図３１は、図３０の柑橘類模造品のカットモデルの概略的斜視図である。
【発明を実施するための形態】
【００１７】
本発明の一実施例のキウイフルーツ模造品のカットモデル、キウイフルーツ模造品のカットモデルの製造方法及び柑橘類模造品のカットモデルの製造方法について、図面を参照して以下説明する。
なお、本発明のキウイフルーツ模造品のカットモデル又は柑橘類模造品のカットモデルは、実物のキウイフルーツ又は柑橘類模造品のカットモデルの形に似せて作ったもので、例えば、食品にあっては、飲食店の店頭あるいは店内に陳列される料理の模型である。
【００１８】
図１は、キウイフルーツの果実を、果芯に直交する方向にスライスしたものを模したキウイフルーツ１０である。
キウイフルーツ１０は、例えば、塩化ビニール等の合成樹脂で形成され、白色の擬似果心１１ａとこの白色の擬似果心１１ａの周囲に緑色を呈した部分１１ｂとを有した第１の擬似果肉体１１と、この第１の擬似果肉体１１の周囲に接続され、第１の擬似果肉体１１の緑色より薄い緑色を呈した第２の擬似果肉体１２とを備えている。
【００１９】
また、白色の擬似果心１１ａの外側の第１の擬似果肉体１１に黒い擬似種子１１ｃが設けられている。
従って、上述したキウイフルーツ模造品のカットモデル１０によれば、キウイフルーツ模造品のカットモデル１０は、白色の擬似果心１１ａの周囲に緑色を呈した第１の擬似果肉体１１と、この第１の擬似果肉体１１の周囲に接続され、第１の擬似果肉体１１の緑色より薄い緑色を呈した第２の擬似果肉体１２とに構成され、第２の擬似果肉体１２を作る際、第１の擬似果肉体１１が良品であるか不良品であるかの検査をし、良品である第１の擬似果肉体１１を選定した上で、第２の擬似果肉体１２を作るため、不良品が少なく、しかも、よりリアルなキウイフルーツ模造品のカットモデル１０を得ることができる。
【００２０】
なお、第１の擬似果肉体１１は、望ましくは、図１に示すように、第１の擬似果肉体１１の外周から第１の擬似果肉体１１の中心軸に向かうと共に、白色の擬似果心１１ａの手前で止まる略放射状に形成されているのが良い。
これは、第１の擬似果肉体１１とは、別個に、第１の擬似果肉体１１の緑色より薄い緑色を呈した第２の擬似果肉体１２を形成しているため、本物のキウイにより近いキウイフルーツ模造品のカットモデルを得るためである。
【００２１】
次に、キウイフルーツ模造品のカットモデルの製造方法について、図２乃至図１２を参照して以下説明する。
先ず、第１の擬似果肉体１１を構成する白色の擬似果心１１ａについて説明する（図２乃至図４参照）。
第１の凹状部材１に原料２（例えば、塩化ビニール等の合成樹脂）を流し込み、原料２を硬化させて、白色の擬似果心１１ａを形成する（図２乃至図４参照）。
【００２２】
次に、図５に示すように、第２の凹状部材３に図４の白色の擬似果心１１ａ、黒い擬似種子１１ｃを載置する。第２の凹状部材３は、放射形状にくり抜かれた放射形状の凹所を有している。
第２の凹状部材３に原料４（例えば、塩化ビニール等の合成樹脂）を流し込み、原料４を硬化させて、白色の擬似果心１１ａを形成する（図５乃至図８参照）。
即ち、白色の擬似果心１１ａの周囲に緑色を呈し、白色の擬似果心１１ａの外側の第１の擬似果肉体１１に黒い擬似種子１１ｃが設けられた第１の擬似果肉体１１を製造する（第１の擬似果肉体工程）。
【００２３】
次に、図９に示すように、第３の凹状部材５に図８の第１の擬似果肉体１１を載置する。第３の凹状部材５は、円盤状にくり抜かれた凹所を有している。
上記した第１の擬似果肉体工程の後、第３の凹状部材５に原料６（例えば、塩化ビニール等の合成樹脂）を流し込み、原料６を硬化させて、第２の擬似果肉体１２を形成する（図９乃至図１２参照）。
即ち、第１の擬似果肉体１１の周囲に接続され、第１の擬似果肉体１１の緑色より薄い緑色を呈した第２の擬似果肉体１２を製造する（第２の擬似果肉体工程）。
【００２４】
なお、上述した実施例の図５においては、黒い擬似種子１１ｃを固形物として説明したが、本願発明にあっては、これに限らず、図１３に示すように、筆７で第２の凹状部材３の底面に黒色を塗布し、第１の擬似果肉体１１の底面に黒い擬似種子１１ｃを付着させるようにしても良い（図１３乃至図１６参照）。
図１３乃至図１６記載の実施例においては、黒い擬似種子１１ｃを付着させる手段として筆を使用する以外は、図５乃至図８と同様であるので、図５乃至図８と同一部分に同一符号を図１３乃至図１６に付してその説明を省略する。
【００２５】
なお、本発明のキウイフルーツ模造品のカットモデル及びキウイフルーツ模造品のカットモデルの製造方法は、キウイフルーツ模造品に限らず、オレンジ、ミカン、ユズ等の柑橘類模造品のカットモデルの製造方法にも同様に適用できるものである。
以下、柑橘類の果実を、果芯に直交する方向にスライスしたものを模した柑橘類模造品のカットモデル２０の製造方法（例えば、オレンジ）について、図１７乃至図３１を参照して以下説明する。
【００２６】
先ず、白色の擬似果心２１ａとこの擬似果心２１ａから放射状に延びる白色の擬似じょうのう膜２１ｂを有した擬似果心体２１を形成する擬似果心工程について説明する（図１８乃至図２０参照）。
第１’の凹状部材３０に原料３１（例えば、塩化ビニール等の合成樹脂）を流し込み、原料３１を硬化させて、白色の擬似果心２１ａとこの擬似果心２１ａから放射状に延びる白色の擬似じょうのう膜２１ｂを有した擬似果心体２１を形成する（図１８乃至図２０参照）。第１’の凹状部材３０は、中心部より放射形状にくり抜かれた放射形状の凹所を有している。
【００２７】
次に、図２１に示すように、上述の擬似果心工程の後、第２’の凹状部材４０に図２０の擬似果心体２１を載置する。
第２’の凹状部材４０に原料４１（例えば、塩化ビニール等の合成樹脂）を流し込み、原料４１を硬化させて、擬似果心体２１の擬似じょうのう膜２１ｂの間及び擬似じょうのう膜２１ｂの外方に擬似果肉体２２を形成する（擬似果肉体工程  図２１乃至図２４参照）。
【００２８】
次に、擬似果肉体工程の後、擬似果肉体２１の表面上であって、前記擬似果心工程で形成された白色の前記擬似じょうのう膜２１ｂの端部に接し外方まで延びる白色の擬似じょうのう膜２３を形成する（擬似じょうのう膜延長工程  図２５乃至図２７参照）。
白色の擬似じょうのう膜２３は、例えば、白色の前記擬似じょうのう膜２１ｂの端部から外方までカットし、カット部位に接着剤５０を塗布する（図２５参照）。
カット部位に白色のフィルム２３を挿入し（図２６参照）、白色の擬似じょうのう膜２３を形成し、接着剤５０にて白色のフィルム２３を固着する（図２７参照）。
白色のフィルム２３の変わりに、カット部位を図示しない白色の絵の具等を筆で塗布して、白色の擬似じょうのう膜２３を形成するようにしても良い。
【００２９】
次に、擬似果肉体工程の後、擬似果肉体２２の外周２２Ａに擬似果皮２４を形成（擬似果皮工程）して、柑橘類模造品のカットモデル２０を製造することができる。
擬似果皮２４は、例えば、図示しないが、絵の具等を筆で塗布して形成することができる。
【００３０】
なお、擬似果皮２４は、例えば、図示しない絵の具等を筆で塗布して形成したが、下記のようにして形成することもできる。
即ち、図２８に示すように、図２７記載の擬似果肉体２２を第３’の凹状部材５０にを載置する。
第３’の凹状部材５０に原料５１（例えば、果皮の色と同じ色に着色した塩化ビニール等の合成樹脂）を流し込み、原料５１を硬化させて、擬似果肉体２２の外周２２Ａに擬似果皮２４を形成（擬似果皮工程）して、柑橘類模造品のカットモデル２０を製造することができる（擬似果皮工程  図２８乃至図３１参照）。
【００３１】
従って、上述した柑橘類模造品のカットモデルの製造方法によれば、柑橘類模造品のカットモデ２０ルは、白色の擬似果心２１ａとこの擬似果心２１ａから放射状に延びる白色の擬似じょうのう膜２１ｂを有した擬似果心体２１と、この擬似果心体２１の擬似じょうのう膜２１ｂの間及び擬似じょうのう膜２１ｂの外方に形成された擬似果肉体２２とを有し、擬似果肉体２２を作る際、擬似果心体２１が良品であるか不良品であるかの検査をし、良品である擬似果心体２１を選定した上で、擬似果肉体２２を作るため、不良品が少なく、しかも、よりリアルな柑橘類模造品のカットモデル２０を製造することができる。
【符号の説明】
【００３２】
１０    キウイフルーツ模造品のカットモデル
１１    第１の擬似果肉体
１１ａ  白色の擬似果心
１１ｃ  黒い擬似種子
１２    第２の擬似果肉体
【図１】
2015082030.tif 000003
【図２】
2015082030.tif 000004
【図３】
2015082030.tif 000005
【図４】
2015082030.tif 000006
【図５】
2015082030.tif 000007
【図６】
2015082030.tif 000008
【図７】
2015082030.tif 000009
【図８】
2015082030.tif 000010
【図９】
2015082030.tif 000011
【図１０】
2015082030.tif 000012
【図１１】
2015082030.tif 000013
【図１２】
2015082030.tif 000014
【図１３】
2015082030.tif 000015
【図１４】
2015082030.tif 000016
【図１５】
2015082030.tif 000017
【図１６】
2015082030.tif 000018
【図１７】
2015082030.tif 000019
【図１８】
2015082030.tif 000020
【図１９】
2015082030.tif 000021
【図２０】
2015082030.tif 000022
【図２１】
2015082030.tif 000023
【図２２】
2015082030.tif 000024
【図２３】
2015082030.tif 000025
【図２４】
2015082030.tif 000026
【図２５】
2015082030.tif 000027
【図２６】
2015082030.tif 000028
【図２７】
2015082030.tif 000029
【図２８】
2015082030.tif 000030
【図２９】
2015082030.tif 000031
【図３０】
2015082030.tif 000032
【図３１】
2015082030.tif 000033